(57)【特許請求の範囲】
【請求項１】
カソード電極を有する陰極線管を駆動する陰極線管駆動装置であって、
トランジスタを含む増幅器を具え、
前記トランジスタは、ビデオ入力信号を受信するベース電極と、第１の抵抗を介して基準電位点に結合されるエミッタ電極と、第２の抵抗を含む負荷インピーダンス手段を介して比較的高い電圧源に結合されるコレクタ電極とを有し、
前記負荷インピーダンス手段は、線形に増幅されたビデオ出力信号を前記トランジスタの前記コレクタ電極に供給し、
前記カソード電極は、前記ビデオ入力信号を表わす画像を発生するために、回路手段を介して前記負荷インピーダンス手段に結合され、
前記回路手段は、前記陰極線管のカソード電極によって導かれるカソード電流のうち所定の一部を前記増幅器内の回路節点に供給し、それによりカソード電流の前記所定の一部が前記第１の抵抗を経由して前記基準電位点に流れることを特徴とする、前記陰極線管駆動装置。
【請求項２】
前記回路手段が、前記負荷インピーダンス手段と前記カソード電極との間に結合されるバッファ増幅器と、前記バッファ増幅器の電流出力と前記増幅器内の前記回路節点との間に接続される第３の抵抗とを具えることを特徴とする、請求項１記載の陰極線管駆動装置。
【請求項３】
前記回路手段が、前記陰極線管のカソード電極に接続されるエミッタ電極と、前記増幅器の前記負荷インピーダンス手段に接続されるベース電極と、前記第１の抵抗に接続されるコレクタ電極とを有するＰＮＰトランジスタを具えることを特徴とする、請求項１記載の陰極線管駆動装置。
【発明の詳細な説明】
【０００１】
【産業上の利用分野】
本発明は一般的に言えばテレビジョン装置に関するものであり、さらに具体的に言えばガンマ補正を行なう装置を具えた陰極線管のカソード駆動装置に関するものである。
【０００２】
【発明の背景】
理想的なテレビジョン装置では、陰極線管が発生する光出力はカメラ撮像管に入射する光に対して線形の関係にある。実際の装置では、カメラ撮像管、表示用陰極線管のいずれもが線形装置ではない。換言すれば、カメラ撮像管によって生成された信号電圧は検出された光と線形の関係になく、また陰極線管によって生成される光は該陰極線管に供給されたカソード駆動電圧と線形の関係にない。カメラ撮像管の光入力と信号出力との間の関係、映像管の信号入力と光出力との間の関係は共に、入力関数（Ｘ）が出力関数（Ｙ）を生成するために累乗される羃指数すなわち“累乗”である項によって表され、簡単に“ガンマ”と称される。例えば、入力関数（Ｘ）が１乗（ガンマ＝１）されて出力関数を生成すると、２つの関数は線形関係にあると称される。もし、出力が入力関数の２乗として変化すると、その羃指数（ガンマ）の値は２に等しい。もし、出力が入力関数の２乗根として変化すると、“ガンマ”すなわち羃指数は０．５に等しい。“ガンマ”は換言すれば単に伝達関数の湾曲の程度となる。
【０００３】
図１はビデオ信号伝送装置の各種のガンマの形態を示し、曲線１００は送信側の伝達特性を表わし、曲線１０２は映像管（陰極線管すなわちＣＲＴ）の伝達特性を表わし、曲線１０４は全体の伝達特性を表わす。ＮＴＳＣ、ＰＡＬ、およびＳＥＣＡＭテレビジョン方式の送信されたビデオ信号のガンマは約０．４５乃至０．５であり、一方テレビジョン受像機の映像管（陰極線管）のガンマは約２．８乃至３．１である。その結果、全体の伝達曲線（カメラへの光入射対映像管からの光出力）は線形にはならず、全体のガンマは、実際には１．０のガンマにはならず、約１．３５になる。このことは、映像管の指数関数的特性が充分に補償されず、表示の暗い映像部分が圧縮されるようになる。このような圧縮は黒に近い映像の細部が失われ、彩色領域を黒に褪色させる。同時に白は黒部分に対してしばしば映像管を飽和状態にさせ、ブルーミング（焦点ぼけ）を生じさせるような点にまで過大に増幅される。
【０００４】
線形の全伝達特性は黒圧縮の問題を解消することができ、またこの線形の全伝達特性はテレビジョン受像機中の赤（Ｒ）、緑（Ｇ）、青（Ｂ）の各信号処理回路において約０．８のガンマ補正を付加することにより得られる。しかしながらこの領域における利得を増大させるには白レベルの利得を圧縮する必要がある。しかしながら映像管の光出力の動的動作領域（ダイナミックレンジ）は比較的小さく、映像管をブルーミングが生じる飽和状態にすることなく上記動的動作領域を拡大させることはできない。従って、暗い映像領域の増幅度を増大させるためのガンマ補正は高い白信号の信号圧縮を生じさせる可能性がある。この影響は、比較的明るい映像領域の高い周波数の内容（映像細部）ブースト（ｂｏｏｓｔ）することによって解消することができる。
【０００５】
一般的に言うと、細部を強調してガンマ補正を行なうのに２つの方法がある。１つの方法は、例えば１９９２年１月２１日付けでハファール（Ｈａｆｅｒｌ）氏外に与えられた米国特許第５，０８３，１９８号明細書に記載されているように、駆動回路においてビデオ信号に非線形処理を施すことである。ハファール氏外の装置の実施例では、ビデオ信号は低振幅部分と高振幅部分とに分割され、高振幅部分は高域通過濾波され、次いで元のビデオ信号と低振幅部分と高域通過濾波された高振幅部分とは合成されて陰極線管に供給される。表示された映像は黒映像領域から灰映像領域に対するガンマ補正と、灰映像領域から白映像領域に対してブーストされた細部とを含んでいる。
【０００６】
ガンマ補正を行なう他の方法は、例えば１９８９年８月１５日付けでファーレイ（Ｆｕｒｒｅｙ）氏に与えられた米国特許第４，８５８，０１５号明細書に記載されているように、ビデオ信号に線形処理を施し、ガンマ補正のために陰極線管のカソードの非線形インピーダンス特性に頼るものである。ファーレイ氏の装置の実施例では、ビデオ信号はカスコード増幅器で線形増幅される。増幅器の負荷抵抗をカスケード接続された相補形エミッタフォロワ・バッファ増幅器から成る電圧フォロワ増幅器の入力に結合することにより、増幅器の出力インピーダンスが減少する。電圧フォロワ増幅器の出力は抵抗とコンデンサとの並列接続を介して陰極線管のカソードに結合されている。上記抵抗はカソード・インピーダンスの非線形抵抗性部分と協同してガンマ補正を行なう。しかしながら、抵抗はカソードの浮遊コンデンサと協同して比較的低い周波数で不所望な周波数応答の極を生成する（すなわち、低域通過フイルタとして作用する）。これによって表示された映像の高周波細部を低下させる。抵抗と並列にバイパス・コンデンサを設けることにより、ガンマ補正用抵抗を避けて高い周波数成分をバイパスさせることにより高周波応答性を回復することができる。相補エミッタフォロワ・バッファ増幅器はバイパス・コンデンサを駆動するための低インピーダンスを与える。
【０００７】
【発明が解決しようとする課題】
上述の２つのガンマ補正方法のうち、陰極線管の実際の非線形に依存する第２の方法すなわち“リニア”処理方法は、比較的簡単で、経済的であり、また必要とする回路素子が少なくて済むことにより改善された信頼性が得られる、という長所がある。また、この方法はカラー陰極線管の３個のカソード電極の非直線性の差を補償するために抵抗値を変更するだけでよく、非常に融通性がある。
【０００８】
本発明は、一つには、駆動増幅器中に非線形回路を必要としないという利点を保持しつつ、ガンマ補正を行なうに当たって上述の第２の方法以上に更に簡単化する必要があるという認識に基づくものである。本発明による陰極線管駆動装置は、上述の“第２の方法”において必要とされる比較的高い抵抗値の直列接続された出力抵抗、このような比較的高い抵抗値の抵抗を使用したことにより生ずる低周波数の極の補償を修正するための関連するバイパス・コンデンサのいずれも使用することなくガンマ補正を行うことができるという利点がある。
【０００９】
【課題を解決するための手段】
本発明を実施した陰極線管駆動装置は、ビデオ入力信号を受信する入力と、増幅されたビデオ出力信号を供給する出力とを有する線形増幅器（６０）を含んでいる。電流センサ（Ｑ３）は、上記増幅器の出力を陰極線管（２０）のカソード（Ｋ１）に結合し、該センサは陰極線管のカソード電流に直線的に関連する出力電流（Ｉｋ）を供給する。帰還路（８２）は、上記カソード電流のセンサによって与えられる出力電流の少なくとも一部を増幅器中の回路接続点（６５または６３）に供給して、陰極線管（２０）によって生成される映像にガンマ補正を与える。
請求の範囲に記載された事項と実施例との対応関係を、図面で使われている参照番号で示すと次の通りである。
（請求項１） カソード電極（Ｋ１）を有する陰極線管（２０）を駆動する陰極線管駆動装置であって、
トランジスタ（Ｑ１）を含む増幅器（６０）を具え、
前記トランジスタ（Ｑ１）は、ビデオ入力信号を受信するベース電極と、第１の抵抗（６２）を介して基準電位点に結合されるエミッタ電極と、第２の抵抗（６８）を含む負荷インピーダンス手段（Ｑ２、６８）を介して比較的高い電圧源に結合されるコレクタ電極とを有し、
前記負荷インピーダンス手段（Ｑ２、６８）は、線形に増幅されたビデオ出力信号を前記トランジスタ（Ｑ１）の前記コレクタ電極に供給し、
前記カソード電極（Ｋ１）は、前記ビデオ入力信号を表わす画像を発生するために、回路手段（Ｑ３、８２）を介して前記負荷インピーダンス手段（Ｑ２、６８）に結合され、
前記回路手段（Ｑ３、８２）は、前記陰極線管（２０）のカソード電極（Ｋ１）によって導かれるカソード電流（ＩＫ）のうち所定の一部を前記増幅器（６０）内の回路節点（６５または６３）に供給し、それによりカソード電流（ＩＫ）の前記所定の一部が前記第１の抵抗を経由して前記基準電位点に流れることを特徴とする、前記陰極線管駆動装置。
（請求項２） 前記回路手段が、前記負荷インピーダンス手段と前記カソード電極との間に結合されるバッファ増幅器（７０）と、前記バッファ増幅器の電流出力と前記増幅器（６０）内の前記回路節点（６５または６３）との間に接続される第３の抵抗（８２）とを具えることを特徴とする、請求項１記載の陰極線管駆動装置。
（請求項３） 前記回路手段が、前記陰極線管のカソード電極（Ｋ１）に接続されるエミッタ電極と、前記増幅器（６０）の前記負荷インピーダンス手段（Ｑ２、６８）に接続されるベース電極と、前記第１の抵抗（６２）に接続されるコレクタ電極とを有するＰＮＰトランジスタ（Ｑ３）を具えることを特徴とする、請求項１記載の陰極線管駆動装置。
【００１０】
好都合な点は、カソード電流センサによって供給される電流は２あるいはそれ以上の部分に分けられ、その１つの部分は増幅器中の回路接続点（６５または６３）に導かれてガンマ補正を与え、他の部分（Ｉａｋｂ）は自動陰極線管バイアス回路に導かれる点である。
【００１１】
本発明の原理による特定の実施例では、感知されたカソード電流はカスコード増幅器の入力トランジスタのエミッタ電極に供給される。他の例では、感知されたカソード電流はカスコード増幅器を構成するように接続された１対のトランジスタのコレクタ電極とエミッタ電極との共通接続点に供給される。
【００１２】
本発明による陰極線管にガンマ補正を与える方法は、（ｉ）ビデオ入力信号を線形増幅して線形増幅されたビデオ出力信号を供給する段階と、（ｉｉ）増幅器の出力を陰極線管のカソードに結合し、同時にカソード電流を感知して上記カソード電流に線形的に関連し且つ上記増幅器の出力電圧に線形的に関連しない出力信号電流を供給する段階と、（ｉｉｉ）上記陰極線管の感知されたカソード電流の少なくとも一部を線形増幅器中の回路接続点に供給して陰極線管によって生成される映像にガンマ補正を与える段階と、から成る。
【００１３】
【実施例】
以下図示の実施例に従って本発明の構造、動作並びに特徴を詳細に説明する。なお、各図で同じ素子には同じ参照番号を付す。図３のテレビジョン受像機１０はチューナ、中間周波（ＩＦ）増幅器および検波器を含むＲＦ段１２を有し、該ＲＦ段１２は適当な信号源（例えば放送、ケーブル、ＶＣＲ等）からＲＦ入力信号Ｓ１を受信するＲＦ入力端子１４を具備している。ＲＦ段１２はクロミナンス／ルミナンス信号処理回路１６にベースバンドのビデオ出力信号Ｓ２を供給し、該クロミナンス／ルミナンス信号処理回路１６は陰極線管２０によって表示される赤（Ｒ）、緑（Ｇ）、青（Ｂ）の成分ビデオ出力信号を発生する。陰極線管２０のカソードＫ１、Ｋ２およびＫ３に高電圧駆動信号を供給するために、Ｒ、ＧおよびＢの各駆動信号はそれぞれ各陰極線管駆動増幅器３０、４０および５０を経て陰極線管の各カソードＫ３、Ｋ２、Ｋ１に供給される。駆動増幅器３０、４０、５０は同じであるから、１個の駆動増幅器（破線で囲んだ駆動増幅器５０）についてのみ詳細に示す。より完全な形で示すために、この特定の実施例では各回路素子として例示の値をもった素子が使用されるものとする。
【００１４】
説明上および動作上の都合で、駆動増幅器５０は破線によって線形増幅器６０と、バッファ増幅器７０と、帰還回路網８０の３つの成分に分割されている。
【００１５】
本願発明の全体像として、増幅器６０は処理回路１６によって供給された赤（Ｒ）ビデオ入力信号に応答して増幅されたビデオ信号Ｓ３を供給する。バッファ増幅器７０は増幅器６０の出力を陰極線管２０のカソードＫ１に結合する電流センサ（トランジスタＱ３から成る）を含み、（そのコレクタ電極において）陰極線管２０のカソード電流に線形に関連する出力電流（Ｉｋ）を供給する。回路網８０はインダクタ８６と直列に接続された抵抗８４から成る帰還路を含み、該帰還路はカソード電流センサＱ３によって供給された出力電流の少なくとも一部を増幅器６０中の回路接続点（本発明のこの実施例では６５、後の実施例では６３）に供給して、陰極線管２０によって生成された映像にガンマ補正を与える。
【００１６】
さらに詳しく説明すると、増幅器６０はカスコード構成に接続された第１のトランジスタＱ１と第２のトランジスタＱ２とからなり、第１のトランジスタＱ１は第１の抵抗６２を介して基準電位点（接地電位点）に結合されたエミッタ電極と、第２のトランジスタＱ２のエミッタ電極に接続されたコレクタ電極とを持っている。第２のトランジスタＱ２は基準電圧源（図示の実施例では＋１２Ｖ）に結合されたベース電極と、第２の抵抗６８を介して比較的高い電圧源（図示の実施例では＋２００Ｖ）に結合されたコレクタ電極とを有し、第２の抵抗６８は線形増幅されたビデオ出力信号Ｓ３を供給する。第２の抵抗６８と第２のトランジスタＱ２のコレクタ電極との間にはダイオード６７が挿入されており、該ダイオード６７は次のバッファ増幅器７０のクロスオーバー歪みを減少させるために使用されるオフセット電圧を生成する。高い周波数（例えば、ビデオ周波数帯の上限）はエミッタ抵抗６２と並列に結合された抵抗６６とコンデンサ６４との直列接続帯によってブーストされる。
【００１７】
バッファ増幅器７０は１対の相補（コンプリメンタリ）トランジスタＱ３とＱ４とからなり、各トランジスタＱ３、Ｑ４のエミッタ電極はそれぞれエミッタ抵抗７４、７５を介して出力７５に結合されており、トランジスタＱ３のベース電極はダイオード５７のカソード電極に、トランジスタＱ４のベース電極は上記ダイオード６７のアノード電極にそれぞれ結合されている。トランジスタＱ４のコレクタ電極は保護抵抗７２を介して高電圧源に結合されており、トランジスタＱ３のコレクタ電極は回路網８０に結合されていて、これにカソード電流Ｉｋを供給する。出力７５は保護抵抗７９を介して陰極線管２０のカソードＫ１に結合されている。
【００１８】
回路網８０は、トランジスタＱ３のコレクタ電極と増幅器６０の回路接続点６５との間に結合されたインダクタ８６と抵抗８４との直列接続体を含み、陰極線管のビーム電流（カソード電流）Ｉｋをエミッタ抵抗６２に供給する。トランジスタＱ３のコレクタ電極はコンデンサ８８を経て接地点に結合されており、また抵抗８２によって回路接続点６５に結合されている。インダクタ８６とコンデンサ８８は陰極線管の高周波放電電流をエミッタ抵抗６２から分離して負帰還が生じないように作用する。
【００１９】
動作について述べると、トランジスタＱ１のエミッタ電極に陰極線管のビーム電流Ｉｋを帰還することにより、駆動増幅器５０の相互コンダクタンス（ｇｍ）は安定化され、ほゞ完全なガンマ補正が得られる。このことは簡単に言えば、図２（Ａ）および図２（Ｂ）に示された陰極線管の非線形特性を考慮することにより容易に理解することができる。図２（Ａ）から明らかなように、陰極線管のビーム電流（カソード電流）はカソード電圧の正比例関数にならないことがことが分かる。その代わりとして（カットオフ）黒レベル近傍の信号に対しては非常に小さい電流（数マイクロアンペア）が必要とされ、白レベル近傍の動作に対しては不釣り合いに大きな電流（数百マイクロアンペア）が必要とされる。この非直線性は、カソード抵抗の値をカソード電圧の関数として示した図２（Ｂ）により明確に示されている。同図から明らかなように、ビーム電流がカットオフの近くでは抵抗値は非常に高く（メガオーム）、その値は中間の灰色領域では数万オームに減少し、ピークの白近くでは数千オームに減少する。
【００２０】
上述の非線形効果は陰極線管のガンマを表わし、図１の曲線１０２に示すように一般にガンマは約“３”に等しい。これは電圧対電流の３乗関係に対応する。図３の駆動増幅器５０では、全ガンマ（光入力対光出力）は陰極線管のビーム電流の帰還によって約１に減少する。ビーム電流の帰還により、赤ビデオ信号Ｒに対して非線形電圧増幅が、しかし線形電流増幅が行われる。換言すれば、増幅器５０は電圧増幅器としてよりも相互コンダクタンス増幅器として動作するようにバイアスされている。赤ビデオ信号Ｒが変化すると、トランジスタＱ１は、実際のビーム電流Ｉｋと、赤ビデオ信号Ｒをエミッタ抵抗６２の値によって除して決定されるエミッタ抵抗を流れる電流との差に等しい電流を回路接続点６５に供給するだけである。
【００２１】
前述のようにカソード・インピーダンスは非線形であるから、上記の差は非線形になる。上述のように、陰極線管の実際のカソード電流の帰還により、カソードのダイナミック・インピーダンスがカソード電流の関数として変化しても増幅器はその入力に供給されるビデオ入力信号に比例した電流をカソードに供給するから、実質的に完全なガンマ補正が得られる。この手段により、陰極線管のビーム電流は如何なる特定の輝度レベルにおいてもカソード電圧の実際の値には無関係にビデオ入力信号に比例するようになる。
【００２２】
エミッタ抵抗６２への陰極線管のビーム電流（カソード電流）の帰還に関して図３の受像機を図４に示すように変更することができる。図３ではビーム電流Ｉｋは抵抗６２が直接接続された回路接続点６５に供給されている。図４ではビーム電流はトランジスタＱ１のコレクタ電極とトランジスタＱ２のエミッタ電極との共通回路接続点６３に帰還される。このように変更しても実際上全てのビーム電流はエミッタ抵抗６２を通って流れ、トランジスタＱ１のエミッタ電極に同じ電圧バイアス成分を生成するので、増幅器の動作には何らの変化もない。また、トランジスタＱ２のエミッタ電極は低インピーダンス点であるから、トランジスタＱ１のコレクタ電圧はビーム電流の流れにより変化することはない。従って、回路接続点６３に電流Ｉｋを供給しても、このことによりカスコード・トランジスタＱ２によって与えられるミラー（Ｍｉｌｌｅｒ）効果の抑制の妨げになることはない。
【００２３】
図３の実施例はＡＫＢ制御電流を供給するために図５に示すように修正することができる。自動陰極線管バイアス（ＡＫＢ）制御電流を供給する通常のやり方では駆動増幅器とカソード電極との間に電流感知トランジスタが結合される。図５の実施例では、バッファ増幅器７０がガンマ補正とＡＫＢ制御の両方に対する感知を与えている。特に増幅器７０では、追加のＰＮＰトランジスタＱ５とエミッタ抵抗７７とがトランジスタＱ３と並列に設けられており、付加されたトランジスタＱ５の出力電流がルミナンス・クロミナンス信号処理回路１６中の自動陰極線管バイアス制御回路１７に供給される。他の駆動増幅器３０、４０も３個のすべての駆動段からのＡＫＢ電流を供給するように同様に修正される。
【００２４】
図６の（Ａ）、（Ｂ）はガンマ感知電流、ＡＫＢ感知電流を与えるための別の電流分割器を示す。図６（Ａ）のカソード電流センサ６００は１対のＰＮＰトランジスタ６０２と６０４を含み、各トランジスタベース電極は駆動信号源から駆動信号（ＤＲＩＶＥ）を受信するように接続されており、エミッタ電極は陰極線管のカソード６０８に接続されている。トランジスタのベースーエミッタ接合と並列にダイオード６０６が接続されており、これにより逆方向電流路を与えている。実施例では、逆方向電流はカソード電極に付随する浮遊容量を充電するために帰線消去期間中流れる。動作について述べると、カソード電流はトランジスタ６０２のコレクタ電極におけるガンマ補正成分とトランジスタ６０４のコレクタ電極におけるＡＫＢ成分とに分割される。集積回路の製造では２個のコレクタ電極を持ったトランジスタを作ることは可能である。図６（Ｂ）は図６（Ａ）の実施例の変形であり、この例ではトランジスタ６０２、６０４の代わりにダブル・コレクタ・トランジスタ６２０が設けられており、このトランジスタ６０２の各コレクタ電極の面積に比例して出力ガンマ電流、ＡＫＢ電流を供給することができる。
【００２５】
図７では、図５および図６（Ａ）の実施例に示すようなデュアル・トランジスタや図６（Ｂ）に示すようなデュアル・コレクタ・トランジスタを使用することなく、ＡＫＢ電流およびガンマ制御電流を得ることができる。変更された点は、回路網８０の出力と回路接続点６３との間にダイオード８１を付加した点、コンデンサ８８と並列に抵抗８３を付加した点、トランジスタＱ３のコレクタ電極とコンデンサ８８との間にダイオード８５を付加した点、トランジスタＱ３のコレクタ電極を直列接続された抵抗８７とダイオード９０とを介して正電圧源  （＋１２Ｖ）に結合した点、および抵抗８７とダイオード９０との共通接続点を別の抵抗８９を介して基準電圧源（接地）に結合した点である。より完全に示すために、各回路接続点素子の横にその代表的な値を例示した。
【００２６】
動作について述べると、ＡＫＢ回路接続点１７用のＡＫＢ出力電流Ｉｋは抵抗８７および８９とダイオード９０との共通接続点に発生する。陰極線管のカソード電流Ｉｋが比較的小さいとき（例えば約１５０マイクロアンペア程度のとき）は、抵抗８７および８９の両端間の電圧は１２Ｖ以下であり、帰還回路網８０はダイオード８５が逆バイアスされることにより不動作状態にされる。この状態では、サンプルされた電流は全てＡＫＢ回路１７に流れ込む。カソード電流がより大きくなると、ダイオード８５は導通し始めて電流帰還が開始されて上述のように作用する。抵抗８３は電位スミア効果が生じるのを防止するためにコンデンサ８８に対する放電路を与えるために付加されており、これにより電位スミア効果が現れるのを防止することができる。
【００２７】
【発明の効果】
以上のように本発明によれば、陰極線管のカソード電流に比例する電流Ｉｋを増幅器中の回路接続点に帰還することにより陰極線管によって生成される映像に対して有効にガンマ補正を与えることができるという効果が得られる。
【図面の簡単な説明】
【図１】テレビジョン送信機、テレビジョン受像機、およびテレビジョン送信機とテレビジョン受像機を含むテレビジョン・システム全体の伝達特性およびガンマ値を例示したる図である。
【図２】（Ａ）、（Ｂ）共陰極線管の非線形カソード特性を示した図である。
【図３】本発明を実施したガンマ補正された陰極線管駆動増幅器を含むテレビジョン受像機を一部をプロックの形で、残りの部分を回路図の形で示した図である。
【図４】本発明の陰極線管駆動増幅器の第２の実施例である図３の陰極線管駆動装置の変形例を、一部をブロックの形で、残りの部分を回路図の形で示した図である。
【図５】本発明の陰極線管駆動増幅器の第３の実施例である図３の陰極線管駆動装置の変形例を、一部をブロックの形で、残りの部分を回路図の形で示した図である。
【図６】（Ａ）、（Ｂ）共本発明の陰極線管駆動増幅器で使用するのに適した電流分割器の変形例を示した回路図である。
【図７】ガンマ補正とＡＫＢ制御の双方に対する電流感知を行なう図４の実施例の変形を、一部をブロックの形で、残りの部分を回路図の形で示した図である。
【符号の説明】
２０  陰極線管
６０  増幅器
６３、６５  回路接続点
８２  帰還路
Ｑ３  カソード電流センサ
【図１】
0003749554.tif 000002
【図２】
0003749554.tif 000003
【図３】
0003749554.tif 000004
【図４】
0003749554.tif 000005
【図５】
0003749554.tif 000006
【図６】
0003749554.tif 000007
【図７】
0003749554.tif 000008